(57)【要約】【課題】浴槽内を効率良く高温多湿状態に保ち、身体に貼り付いて被着者に不快感を与えず、被着者が自由に手を使えるケープを提供する。【解決手段】互いに直交する幅方向及び長さ方向に一定の幅及び長さをそれぞれ有する布部材２に、その長さ方向の端部に被着者の首部を覗かせる切除部３及び挿通させる開口部のいずれかを形成したケープであって、前記布部材２の長さ方向の切除部３または開口部が形成された一方の端部における前記幅方向の両端部それぞれに、外部の固定体に着脱自在に係止するための係止部１０を形成するとともに、前記幅方向の両端部それぞれに前記被着者の腕部の挙動を容易にするための切除部１４をそれぞれ形成する。【選択図】  図４
2005046205.tif 000002
【特許請求の範囲】
【請求項１】
互いに直交する幅方向及び長さ方向に一定の幅及び長さをそれぞれ有する布部材に、その長さ方向の端部に被着者の首部を覗かせる切除部及び挿通させる開口部のいずれかを形成したケープであって、
前記布部材の長さ方向の切除部または開口部が形成された一方の端部における前記幅方向の両端部それぞれに、外部の固定体に着脱自在に係止するための係止部を形成するとともに、前記幅方向の両端部それぞれに前記被着者の腕部の挙動を容易にするための切除部をそれぞれ形成したことを特徴とするケープ。
【請求項２】
互いに直交する幅方向及び長さ方向に一定の幅及び長さをそれぞれ有する布部材に、その長さ方向の端部に被着者の首部を覗かせる切除部及び挿通させる開口部のいずれかを形成したケープであって、
前記布部材の長さ方向の前記首部側の端部における前記幅方向の両端部それぞれに、外部の固定体に着脱自在に係止するための係止部を形成したことを特徴とするケープ。
【請求項３】
互いに直交する幅方向及び長さ方向に一定の幅及び長さをそれぞれ有する布部材に、その長さ方向の端部に被着者の首部を覗かせる切除部及び挿通させる開口部のいずれかを形成したケープであって、
前記幅方向の両端部それぞれに前記被着者の腕部の挙動を容易にするための切除部をそれぞれ形成したことを特徴とするケープ。
【請求項４】
前記ケープは、半身浴、全身浴、サウナ浴を含む入浴時に前記外部固定体としての浴槽に入るときに前記被着者の首部及びその近傍を覆うために使用する覆い材であって、
前記係止部のそれぞれは一定の重さを有し、且つ、前記浴槽の縁に前記布部材を着脱自在に載置するための重り部材を当該ケープ布に取り付けた構造としたことを特徴とする請求項１乃至３のいずれかに記載のケープ。
【請求項５】
前記重り部材は、前記布部材に面ファスナーを用いて着脱自在に係止させることを特徴とする請求項４記載のケープ。
【請求項６】
前記重り部材は、一定の長さを備え、当該ケープの長さ方向に略平行に配置された板状の部材であることを特徴とする請求項４に記載のケープ。
【請求項７】
前記長さ方向の前記首部とは反対側の端部における前記幅方向の両端部に、前記浴槽の風呂蓋部材に着脱自在に係止可能な引っ掛け部をそれぞれ形成したことを特徴とする請求項４に記載のケープ。
【請求項８】
前記引っ掛け部は、一又は複数のハトメで構成され、前記風呂蓋に備えられた突起に、上記ハトメの内から一を選択して挿通し係止することを特徴とする請求項７に記載のケープ。
【請求項９】
前記ケープは、半身浴、全身浴、サウナ浴等の入浴時に前記外部固定体としての浴槽に入るときに前記被着者の首部及びその近傍を覆うために使用する覆い材であって、
前記係止部のそれぞれは、前記浴槽の縁に前記布部材を着脱自在に載置する面ファスナーを当該ケープ布に取り付けた構造としたことを特徴とする請求項１乃至３のいずれかに記載のケープ。
【請求項１０】
前記ケープは、半身浴、全身浴、サウナ浴等の入浴時に前記外部固定体としての浴槽に入るときに前記被着者の首部及びその近傍を覆うために使用する覆い材であって、
前記係止部のそれぞれは、前記浴槽の縁に前記布部材を着脱自在に載置する磁性体を当該ケープ布に取り付けた構造としたことを特徴とする請求項１乃至３のいずれかに記載のケープ。
【発明の詳細な説明】
【０００１】
【発明の属する技術分野】
本発明は、浴槽内を効率良く高温多湿状態に保つために、入浴者の首に被着して浴槽上面を覆うケープに関する。
【０００２】
【従来の技術】
近年、半身入浴が脚光を浴びるようになっている。半身入浴とは、３８〜３９度の比較的温めの湯に下半身だけ浸かる入浴方法で、心臓や肺への負担が少ないので体に負担をかけずに血行が促進されるとされている。
【０００３】
しかし、冬場など上半身が寒い場合は、タオルを肩に羽織る、上半身に湯をかける、或いは、シャワーなどの蒸気で浴室を温めておく等の措置が必要となる。
【０００４】
これらの方法に代わるものとして、浴槽の湯から発生する蒸気をそのまま外部に逃がすのではなく、上半身の周囲に集め、その熱を利用してこの問題に対処する方法が種々提案されている。この考え方によれば、上半身については低温サウナ浴も楽しめるという利点もある。
【０００５】
これら提案された方法は、大別すると、風呂蓋を用いて閉空間を形成するものと、シート状のものを人体に被着するものとに分けられる。
【０００６】
前者としては、風呂蓋に開口を設け、そこから頭部のみを浴槽上に突出させる方法がある（例えば、特許文献１参照）。ところが、この方法では手を浴槽より上に出すことができないので、長時間の入浴中に本を読みたいという要望には応えられない。また、失われた水分を補給するにはその都度風呂蓋を開ける必要があり、溜まった蒸気を外部に放出してしまうという難点がある。
【０００７】
そこで、手を出すことのできる開口を風呂蓋に形成したものも提案されている（例えば、特許文献２参照）。しかし、手の動きは制限され、これを嫌って、手を浴槽内に戻すと、この開口から蒸気が散逸することになる。
【０００８】
一方、後者としては、理容室等で用いられる刈り布（カットクロス）状のものであって、その上端を入浴者の首廻りに巻き付けて固定し、下端を浴槽内の湯に浸水させ、或いは湯面に密着させてこのシート内に湯気を溜積させるようにしたものがある（例えば、特許文献３参照）。
【０００９】
この方法においても、手をシート外に出すことができないので、読書ができない、水分補給に不便である等の問題があり、加えて、シートが人体に貼り付き不快に感じるという問題も生じる。腕を貫通させるために一対の開口部を設けたものも提案されているが（例えば、特許文献４参照）、下端を湯面に密着させる必要があるため自由度は高くなく、また、手にシートが貼り付き使用感は良くない。
【００１０】
【特許文献１】
特開平１０−３１４０６０号公報（図１）
【００１１】
【特許文献２】
特開平８−６６４５５号公報（第３頁、図１）
【００１２】
【特許文献３】
登録実用新案第３０９２０９６号公報（図２）
【００１３】
【特許文献４】
特開平１０−３１０９２０号公報（第３頁、図６、図７）
【００１４】
【発明が解決しようとする課題】
本発明は、上述した事情を考慮してなされたもので、浴槽内を効率良く高温多湿状態に保つことができる、浴槽上面を覆うケープを提供することを第１の目的とするものである。
【００１５】
本発明の他の目的は、第１の目的に加え、身体に貼り付き、入浴者に不快感を与えることのないケープを提供することにある。
【００１６】
本発明のさらに他の目的は、第２の目的に加え、入浴者が自由に手を使えるケープを提供することにある。
【００１７】
【課題を解決するための手段】
ケープとは、通常「肩と背を被う、袖なしのゆったりとした外衣。さまざまな丈のものがある。」（広辞苑第四版）のように定義されている。これに対し、本願に係る発明は背側を被うことは殆どないが、説明の便宜上「ケープ」と呼ぶこととする。
【００１８】
本発明に係るケープは、上述した課題を解決するために、請求項１に記載したように、互いに直交する幅方向及び長さ方向に一定の幅及び長さをそれぞれ有する布部材に、その長さ方向の端部に被着者の首部を覗かせる切除部及び挿通させる開口部のいずれかを形成したケープであって、前記布部材の長さ方向の切除部または開口部が形成された一方の端部における前記幅方向の両端部それぞれに、外部の固定体に着脱自在に係止するための係止部を形成するとともに、前記幅方向の両端部それぞれに前記被着者の腕部の挙動を容易にするための切除部をそれぞれ形成したものである。
【００１９】
次に、上述した課題を解決するために、請求項２に係るケープは、互いに直交する幅方向及び長さ方向に一定の幅及び長さをそれぞれ有する布部材に、その長さ方向の端部に被着者の首部を覗かせる切除部及び挿通させる開口部のいずれかを形成したケープであって、前記布部材の長さ方向の前記首部側の端部における前記幅方向の両端部それぞれに、外部の固定体に着脱自在に係止するための係止部を形成したものである。
【００２０】
そして、上述した課題を解決するために、請求項３に係るケープは、互いに直交する幅方向及び長さ方向に一定の幅及び長さをそれぞれ有する布部材に、その長さ方向の端部に被着者の首部を覗かせる切除部及び挿通させる開口部のいずれかを形成したケープであって、前記幅方向の両端部それぞれに前記被着者の腕部の挙動を容易にするための切除部をそれぞれ形成したものである。
【００２１】
また、上述した課題を解決するために、請求項４に係るケープは、半身浴、全身浴、サウナ浴を含む入浴時に前記外部固定体としての浴槽に入るときに前記被着者の首部及びその近傍を覆うために使用する覆い材であって、前記係止部のそれぞれは一定の重さを有し、且つ、前記浴槽の縁に前記布部材を着脱自在に載置するための重り部材を当該ケープ布に取り付けた構造としたものである。すなわち、浴槽内を高温多湿状態に保つために、従来の身体に被着するタイプのものが、その下端を湯に浸水させる、或いは湯面に密着させるものであるのと異なり、本発明は、その外縁部を浴槽リム上に固定するものである。
【００２２】
さらに、上述した課題を解決するために、請求項５に係る重り部材は、前記布部材に面ファスナーを用いて着脱自在に係止させるものである。
【００２３】
さらにまた、上述した課題を解決するために、請求項６に係る重り部材は、一定の長さを備え、当該ケープの長さ方向に略平行に配置された板状の部材である。
【００２４】
さらに、上述した課題を解決するために、請求項７に係るケープは、前記長さ方向の前記首部とは反対側の端部における前記幅方向の両端部に、前記浴槽の風呂蓋部材に着脱自在に係止可能な引っ掛け部をそれぞれ形成したものである。
【００２５】
また、上述した課題を解決するために、請求項８に係る引っ掛け部は、一又は複数のハトメで構成され、前記風呂蓋に備えられた突起に、上記ハトメの内から一を選択して挿通し係止するものである。
【００２６】
さらに、上述した課題を解決するために、請求項９に係るケープは、半身浴、全身浴、サウナ浴等の入浴時に前記外部固定体としての浴槽に入るときに前記被着者の首部及びその近傍を覆うために使用する覆い材であって、前記係止部のそれぞれは、前記浴槽の縁に前記布部材を着脱自在に載置する面ファスナーを当該ケープ布に取り付けた構造としたものである。
【００２７】
またさらに、上述した課題を解決するために、請求項１０に係るケープは、半身浴、全身浴、サウナ浴等の入浴時に前記外部固定体としての浴槽に入るときに前記被着者の首部及びその近傍を覆うために使用する覆い材であって、前記係止部のそれぞれは、前記浴槽の縁に前記布部材を着脱自在に載置する磁性体を当該ケープ布に取り付けた構造としたものである。
【００２８】
【発明の実施の形態】
本発明に係るケープの第１の実施形態について、添付図面を参照して説明する。図１は、本発明に係るケープ１の表側平面図である。ここに本願では、以後図１に示すＸ軸方向を「幅方向」、Ｙ軸方向を「長さ方向」と呼ぶ。
【００２９】
本ケープ１は、ビニール、ポリエステル、ナイロン、ゴム等の防水性素材でできた布部材２を、理髪室等で用いられる刈り布（カットクロス）状に成形し、縫製加工又は溶着加工して製作されたものである。すなわち、被着者Ｐの頭部をケープ上に覗かせるために上部切除部３が長さ方向の一端（上端）中央に設けられている。その前面は被着者Ｐの胸部を、それに接触することなく覆うものであり、布部材２は背面側にまでは廻り込まない。この布部材２の周囲は、補強のためバイアステープ等からなるヘム８で縁取られている。なお、この布部材２は、コットン等に防水加工を施したものであってもよく、さらに、防汚性、撥水性、耐久性等を高めるために、フッ素コート等が施されたものであってもよい。
【００３０】
布部材２の長さ方向の両側面は、抉られたような形状に側面切除部４が形成され、肩廻りや足元側に比べて幅が狭くなっている。これは後述するように、この外側から被着者Ｐが自由に腕を出せるようにするためのものである。
【００３１】
上部切除部３の周囲には、布部材でできた円筒状の襟５が設けられ、その中には、この上部切除部３を被着者Ｐの首廻りに固着させるための紐６又はゴムが挿入されている。この襟５は、防水加工されていても、されていなくてもよいが、人の肌に直接当るものであるので、肌触りがよいことが要求される。また、この紐６の取出口７は、図１に示すように、被着者Ｐの背面にあってもよいし、逆に前面にあってもよい。
【００３２】
上部切除部３の両側、すなわち、被着者Ｐの肩上に来る部分には、プラスティック等の堅硬な部材でできたプレート９が取り付けられ、係止部１０が形成される。このプレート９は、被着者Ｐが浴槽内に入った場合に、被着者Ｐの肩越しに、背面の浴槽のリム面上に載置され、被着者Ｐの背中と浴槽の背面側との間を塞ぎ、この部分から蒸気が浴槽の外側へ散逸することを防ぐ重りの役割を果たしている。浴槽リム面上に定置されるものであるため、一定以上の重量が必要である一方、被着者Ｐの肩には重量の負担がかからないことが望ましい。そのために、プレート９のリム側９ａは、肩側９ｂに比べて厚い構成としてもよい。また、プラスティック等以外の、さらに比重の大きい材料を追加貼付することも可能である。なお、このプレート９は、平面形に限らず、肩の形状に合せた曲面に形成してもよい。
【００３３】
このプレート９の取り付け方法は以下に示すとおりである。すなわち、このプレート９には、図１及び２に示すように、複数のフック状面ファスナー１１ａが接着剤等により取り付けられている一方、布部材２のこれに対応する部分には、同じくループ状面ファスナー１１ｂが縫製又は溶着により取り付けられている。なお、プレート９側にループ状面ファスナー１１ｂを、布部材２側にフック状面ファスナー１１ａを設ける構成としてもよい。また、両面にフック・ループ混在型面ファスナーを採用してもよい。これらのフック状面ファスナー１１ａ及びループ状面ファスナー１１ｂを相互に接合することにより面ファスナー１１が構成され、これによりプレート９は布部材２に固定される。この面ファスナー１１は、プレート９の自重を十分に支えられるだけの数量又は面積を有している。
【００３４】
このように、プレート９を着脱自在としたことにより、洗濯時にはプレート９と布部材２とを切り離し、別々に洗濯することができ、布部材２の生地を傷めることなく清潔感を保持することが可能となる。
【００３５】
次に、このケープ１の被着方法について説明する。被着者Ｐは、まず布部材２を前面にして、襟５を、首の廻りに廻し、紐６の両端を結んでケープ１を身体に固定する。この段階では、例えば、理髪室で刈り布を着けたような状態となり、被着者Ｐの前面は、ケープ１で覆われているが、背面側にはプレート９を取り付けた係止部１０以外には何もなく、身体は露出したままである。
【００３６】
そして、図３に示すように、風呂蓋２１を、浴槽２０の開口の内、被着者Ｐの足が来る方略半分を閉じるように載置する。図３では、シャッター型の風呂蓋の場合を示しているが、風呂蓋はこのタイプに限らず、割り蓋型のものであってもよい。この場合は、一方の風呂蓋を浴槽２０の足側半分に載置し、その上に他方の風呂蓋を載せることで、開口が確保できる。このとき浴槽２０内には、既に半身浴に必要な量の湯が満たされているものとする。
【００３７】
このように準備が整うと、被着者Ｐは、浴槽２０内に脚を入れ、適当な位置に腰を落とす。ここで、浴槽２０の開口が適度な大きさか否かを確認する。適度な大きさとは、被着者Ｐの体格や好みによって異なるが、例えば、読書をするに際し、本を持つのに適度な距離であるとか、圧迫感を感じない等である。
【００３８】
そして、ケープ１の下端（長さ方向において上部切除部３と反対側）２ａの左右両側を一杯に拡げて持ち、風呂蓋２１の上に載せ、ケープ１が風呂蓋２１から滑り落ちないように、下端２ａを例えばシャンプーのボトルや石鹸箱等重りになるもので押さえる。ケープ１の幅方向の長さは、浴槽２０内面の幅よりも大きく設定されているので、浴槽２０の開口はほぼ全幅に亘って覆われる。
【００３９】
こうして、被着者Ｐの身体の前面側の浴槽２０の開口が、ケープ１により覆われると、被着者Ｐは背を浴槽２０の背側側面２０ａに持たせ掛けて、ケープ１の弛み具合を調整する。弛みが大きいと布部材２が身体に接触して不快感を受け、弛みが小さいと、本を持つ場合に腕の自由が制限されたり、被着者Ｐの動きによっては風呂蓋２１上に載置された下端２ａが引っ張られて落下したりするからである。
【００４０】
この調整は、布部材２の下端２ａの、風呂蓋２１上での位置を移動させることにより行う。すなわち、弛みが小さい場合には、下端２ａを被着者Ｐ側に引き寄せ、逆に弛みが大きすぎる場合には、下端２ａを風呂蓋２１上で、足側へと遠ざける。下端２ａの移動のみでは調整しきれない場合には、風呂蓋２１を前後に移動させて調整を行う。
【００４１】
ケープ１の上部切除部３から布部材２の下端部２ａまでの長さは、被着者Ｐが浴槽２０の背側側面２０ａに凭れ掛かった状態で、被着者Ｐの喉から風呂蓋２１の被着者Ｐ側の端部までの長さより大きく設定されているので、被着者Ｐが浴槽２０の背側側面２０ａに凭れ掛かって、布部材２の下端部２ａが引っ張られても、下端２ａは、風呂蓋２１から落ちることはない。逆に、この長さは、布部材２が被着者Ｐの肌に接触しないように、長すぎないようにも設定されている。
【００４２】
最後に、被着者Ｐと浴槽２０の背側側面２０ａとの間に挟まれた状態になっている係止部１０を、浴槽２０の背面側リム面上に載置する。これは、被着者Ｐの右腕を身体の前面で左肩の方へと廻して左側のプレート９の肩側９ｂを持ち、リム側９ａを浴槽２０のリム上に載置することによって行う。右側のプレート９についても同様に行う。
【００４３】
こうして、浴槽２０の開口は、風呂蓋２１及びケープ１によって、被着者Ｐの前面及び背面に亘って、ほぼ全面的に塞がれる。これにより、半身浴のために浴槽内に溜められた湯から蒸発する水蒸気は浴槽内に滞留し、湯に浸かっていない上半身が暖められ、冬場であっても上半身に寒さを感じることなく半身浴を楽しむことが可能となる。また、この蒸気により低温サウナ浴の効果も得ることができる。
【００４４】
また、浴槽２０の開口の略半分は既存の堅牢な風呂蓋２１で覆われるので、より確実に遮蔽性を確保でき、ケ−プ１の長さも小さくできるので、被着者Ｐの首にかかる負担も低減される。
【００４５】
次に、上述のように被着されたケープ１の使用方法について説明する。このように、長時間浴槽から首だけを出した状態でいることは、ある種苦痛を伴うものである。読書はおろか、浴室にテレビを備えそれを観るにしてもチャンネル操作も行えない。
【００４６】
この点本実施形態に係るケープ１は、上述のように両肩側の２点と、足元側の２点の計４点で浴槽へ固定されており、長さ方向の両側面には側面切除部４が設けられて、抉られたような形状となっている。そのため、浴槽２０の両側面と、このケープ１の両側面との間は、通常は塞がれているものの、両者の間に腕を差し込めばスリット状の開口が形成される。頭部側及び足側の幅方向は、中央部よりも幅広く形成されているので、そこでは隙間が生じることはない。
【００４７】
被着者Ｐはその腕を、その体格や目的に応じて、首に近いところからでも、腰に近いところからでも浴槽２０の開口より上に出すことが出来る。また、手首までしか出さないことも、肘まで出すことも自由であるし、片方の腕のみを出すこともできる。したがって、例えば読書の場合、本を風呂蓋２１の上に立てて読むこともできるし、風呂蓋２１の縁に凭せ掛けて読むこともでき、その角度を変えることもできる。また、風呂蓋２１上にペットボトルを置いておき、それを取って発汗により失われた水分を補給することもできる。さらに、顔のマッサージや、テレビのリモコンを操作することも可能となる。万が一隙間ができても、自らの手でシートの縁を掴みそれを外側へ引っ張ることにより、容易に隙間を閉じることができる。
【００４８】
入浴が終われば、被着者Ｐは、足側の下端２ａを押さえていたシャンプーボトル等を取り外し、浴槽内で腰を上げれば係止部１０も自ずと浴槽から外れ、立ち上がることができ、最後に襟５の紐６を解けばケープ１を脱ぐことができる。
【００４９】
このように、腕を浴槽から出す位置が固定されていないので、腕を自由に動かすことができ、また、ケープの布部材２が腕に貼り付くこともないので不快感を受けることもない。
【００５０】
上述したように、浴槽内を高温多湿状態に保つために、従来の身体に被着するタイプのものが、その下端を湯に浸水させる、或いは湯面に密着させるものであるのと異なり、本発明は、その外縁部を浴槽リム上に固定するものである。
【００５１】
次に、本発明に係るケープの第２の実施形態について、浴槽を利用したミストサウナ浴に使用される場合を例にとり、添付図面を参照して説明する。勿論このケープの使用はこの場合に限らず、通常の全身浴や半身浴においても使用可能である。なお、第１の実施形態におけるものと実質的に同じ部分については、同じ符号を付して説明を簡略化又は省略する。
【００５２】
本実施形態のケープ１Ａは、図４にその表側平面を示すように、布部材２を、理髪室等で用いられる刈り布状に成形し、縫製加工又は溶着加工して製作されたものである。すなわち、被着者Ｐの頭部をケープ上に覗かせるために上部切除部３が長さ方向の一端（上端）中央に設けられている。この布部材２の周囲は、補強のため、バイアステープ等からなるヘム８で縁取られ、布部材２の長さ方向の両側面は、抉られたような形状に側面切除部４が形成され、肩廻りや足元側に比べて幅が狭くなっている。
【００５３】
上部切除部３の周囲も外縁同様にヘム８で縁取られるが、被着者Ｐの左肩（図では右側）には、上部切除部３と背側外縁とに挟まれた領域には、比較的大きいループ状面ファスナー１１ｂが、ヘム８で縁取られて縫製又は溶着により取り付けられている。他方上部切除部３の右側には、上部切除部３の背面にフック状面ファスナー１１ａの小片が縫製又は溶着により取り付けられている。
【００５４】
被着者Ｐが本ケープ１Ａを着用する際は、首廻りにおいてこのフック状面ファスナー１１ａとループ状面ファスナー１１ｂとを相互に接合して面ファスナー１１を構成し、これによりケープ１Ａは被着者Ｐの首部廻りに固定される。ここで、ループ状面ファスナー１１ｂがフック状面ファスナー９ａに比べて大きく形成され、接合位置を変えられるので、様々な被着者Ｐの首廻りサイズに対応できるとともに、繰り返し使用による面ファスナーの接合力劣化を遅らせることができる。
【００５５】
上部切除部３の両側、すなわち、被着者Ｐの肩上に来る部分には、係止部１０が形成される。この係止部１０は、図５に示すように、ケープ１Ａの本体を構成する布部材２の裏側に同材の布部材を当ててポケット１２を形成し、その中にプレート９ａを挿入して構成される。
【００５６】
このプレート８は、角部が丸く面取りされた細長い板状に形成され、その肩側９ｂは、リム側９ａより細くなっている。これは、リム側９ａにより多くの重量を集中させることにより、使用に被着者Ｐの肩にかかる荷重を低減するためである。
【００５７】
ポケット１２は、その端部をヘム８で補強され、その内側には、フック状面ファスナー１１ａの小片が複数個縫製又は溶着により取り付けられている。そして、布部材２の、このフック状面ファスナー１１ａに対応する部分には、ループ状面ファスナー１１ｂの小片が複数個縫製又は溶着により取り付けられている。このポケットにプレート９を挿入した後、これらフック状面ファスナー１１ａとループ状面ファスナー１１ｂとを接合させてプレート８の脱落を防止する。
【００５８】
このように、プレート９をポケット１２内に収納したことにより、プレート９と布部材２とを別々に洗濯することができるとともに、プレート９が直接被着者Ｐの肌に触れないので、被着感が改善されるという効果が得られる。
【００５９】
長さ方向における上部切除部３と反対側、すなわち足元側の幅方向の両端近傍には、それぞれ複数のハトメ１３，１３…が、一定の間隔を置いて、左右平行に設けられる。この複数のハトメ１３，１３…が、引っ掛け部１４を構成する。
【００６０】
このハトメ１３のそれぞれは、図６に示すように、布部材２に設けられた小孔１２ａの周囲に樹脂製、金属製等のハトメ材１３ｂをかしめて補強して形成される。この場合、小孔１３ａ内にも布部材を配し、それに十文字等の切込みを入れるようにしてもよい。これにより、後述する風呂蓋の突起が挿通されたハトメ１３ではその突起の抜け落ちを防止できるとともに、突起が挿通されないハトメ１３の孔は塞がれ、浴槽内の高温多湿状態が外部へ漏れることを防止できる。
【００６１】
次に、このケープ１Ａの被着方法について説明する前に、本実施形態で用いられる浴槽及び風呂蓋について説明する。
【００６２】
図７に示すように、本実施形態の浴槽３０の足側端部近傍（図の右側）には、浴槽３０の開口部３１をサウナ空間とする蒸気発生装置３２が配置されている。また、蒸気発生装置３２の上部には吐出口３２ａが設けられている。これにより、蒸気発生装置３２により加熱された水が温水となり、これを蒸気としてファン（図示省略）の圧力などにより吐出口３２ａから浴槽３０の開口部３１に吐き出される。
【００６３】
ここで、浴槽３０の足側リム面３３ｂの一部には、吐出口３２ａを囲むように上方へ向かって膨出した膨出部３４が形成されている。これは、蒸気の流れを風呂蓋５１に当てることにより下方に向ける温度ムラを低減させるとともに、蒸気発生装置３２内へ浴槽水の逆流を防止するものである。このように、吐出口３２ａは、浴槽３０の両側に形成された膨出部３４の間に位置した構成となっている。
【００６４】
なお、本実施形態において、「背側リム面」及び「足側リム面」とは、浴槽３０の長手方向と直交する方向を基準線ｇとして浴槽３０のリム面をその長手方向に分離して、この基準線ｇから背側（図７中矢印イ方向）に位置するリム面を背側リム面とし、この基準線ｇから足側（図７中矢印ロ方向）に位置するリム面を足側リム面とする。
【００６５】
また、浴槽３０の足側リム面３３ｂ上の開口縁には、後述する足側風呂蓋５１ｂを配置させるための段落ち部３５が形成されている。この段落ち部３５は足側リム面３３ｂの水平面から膨出部３４の傾斜面に亘って形成されている。足側リム面３３ｂの水平面に位置する段落ち部３５の深さは、足側風呂蓋５１ｂの肉厚と同じ寸法に設定されており、段落ち部３５に配置された状態で足側風呂蓋３３ｂの上面と背側リム面３３ａとが面一となるように構成されている。一方、浴槽３０の短辺方向に延びる背側リム面３３ａには入浴者の頭部を支持するヘッドレスト３６が設けられている。
【００６６】
一方、図７及び図８に示すように、本実施形態の浴槽３０は、風呂蓋５１を備えている。この風呂蓋５１は、浴槽３０の背側に位置する背側リム面３３ａに配置される背側風呂蓋５１ａと、浴槽３０の足側に位置する足側リム面３３ｂに配置される足側風呂蓋５１ｂとの２つの部材で構成されている。
【００６７】
足側風呂蓋５１ｂは、足側リム面３３ｂに形成された膨出部３４に沿うように湾曲した湾曲部５２を備えている。また、足側風呂蓋５１ｂの湾曲部５２側の端部には手掛け部５３が形成されており、入浴者などが段落ち部３５に配置された足側風呂蓋３３ｂを浴槽３０から取り外すときにこの手掛け部５３を持って足側風呂蓋５１ｂを容易に取り外すことができる。このように、足側風呂蓋５１ｂが段落ち部３５に配置された状態では、足側風呂蓋５１ｂの湾曲部５２側の端部が吐出口３２ａの上面と接続するように構成されている。これにより、吐出口３２ａから吐き出された蒸気が足側風呂蓋５１ｂの内面に当たって浴槽３０の開口部３１に誘導されるようになっている。
【００６８】
また、背側風呂蓋５１ａは、長手方向に沿って４つに分割された各分割部５４ａ，５４ｂ，５４ｃ，５４ｄと、これらを接続する軟質部材５５ａ，５５ｂ，５５ｃとで構成されている。例えば第１軟質部材５５ａは、接続されている第１分割部５４ａがこの第１軟質部材５５ａを基点として隣接する第２分割部５４ｂに折れ曲がることができる柔軟性のある材質で構成されている。
【００６９】
また、背側風呂蓋５１ａの長手方向の一方の端部に位置する分割部５４ａには、入浴者の首部を通し頭部を外部に出すための切欠部５６が形成されている。切欠部５６の凹部の形状は、この凹部と接触するヘッドレスト３６の外面形状と同じ形状とされており、また切欠部５６の各寸法もヘッドレスト３６が切欠部５６に入り込むことができ、かつ切欠部５６の凹部にヘッドレスト３６が接触したときに浴槽３０の開口部３１を完全に閉塞することができるように設定されている。
【００７０】
また、第１分割部５４ａの裏面の左右それぞれには突起３７，３７が形成されており、この突起３７，３７は、浴槽３０の開口部３１を覆うケープ１Ａが取り付けられるように形成されている。
【００７１】
続いて、このケープ１Ａの被着方法について説明する。被着者Ｐは、まず布部材２を前面にして、首部の廻りに上部切除部３をあてがい、フック状面ファスナー１１ａをループ状面ファスナー１１ｂの適当な部分に接合して、ケープ１Ａを身体に固定する。
【００７２】
このとき、足側風呂蓋５１ｂは、浴槽３０の足側リム面３３ｂに形成された段落ち部３５に嵌め込まれ、係止されている。背側風呂蓋５１ａは、図９及び図１０に示すように、浴槽３０及び足側風呂蓋５１ｂ上に載置され、浴槽３０の開口部３１の内背側部分は、被着者Ｐが浴槽３０に入れるように開放されている。また、背側風呂蓋５１ａの分割部５４ａは折り返され、裏面に設けられた突起３７が風呂蓋５１の上面にくるようにしておく。
【００７３】
このように準備が整うと、被着者Ｐは、浴槽３０内に脚を入れ、適当な位置に腰を落とす。ここで、浴槽３０の開口が適度な大きさか否かを確認し、背側風呂蓋５１ａを押したり引いたりして、足側風呂蓋５１ｂ上をスライドさせて調整する。なお、背側風呂蓋５１ａと足側風呂蓋５１ｂとの間には、このとき左右にずれないようにガイドレール（図示せず）が設けられている。
【００７４】
そして、ケープ１Ａの下端（長さ方向において上部切除部３と反対側）２ａの左右両側を一杯に拡げて持ち、風呂蓋２１の上に載せ、被着者Ｐが浴槽３０の背側に凭れても引っ張られず、且つ、布部材２が垂れて肌に貼り付かないように、ケープ１Ａの複数のハトメ１３，１３…の中から、一つを選択して、背側風呂蓋５１ａの裏面（この状態では上を向いている）に設けられた突起３７に挿入する。この場合、突起３７には、軸部よりも径の大きい頭部を設けてあるので、ハトメ１３は抜け落ち難くなっている。このように、風呂蓋５１側に突起３７を設けてケープを係止するので、水が溜まる凹部がなく衛生的である。
【００７５】
このように、被着者Ｐの身体の前面側の浴槽３０の開口部３１が、ケープ１Ａにより覆われると、被着者Ｐと浴槽３０の背側の側面との間に挟まれた状態になっている係止部１０を、浴槽３０の背面側リム面３３ａ上に載置する。この場合、プレート８は、細長い板状なので、その肩側９ｂは細いので、手に持って握り易く、また腕を首廻りに大きく廻さなくても、容易にプレート９のリム側９ａを浴槽３０の背面のリム面上に載置することができる。
【００７６】
こうして、浴槽３０の開口部３１は、風呂蓋５１及びケープ１Ａによって、被着者Ｐの前面及び背面に亘って、ほぼ全面的に塞がれる。これにより、サウナ浴のために蒸気発生装置３２から吐き出された蒸気は浴槽内に滞留し、効率良くサウナ浴を楽しむことができる。
【００７７】
上述のように被着されたケープ１Ａの使用方法については上述した第１の実施形態の場合と同様である。しかし、ケープ１Ａの足元側は、ハトメ１３が風呂蓋５１の突起３７に確実に係止されていて、腕の動きに引きずられて移動することがなく、また、開口が拡がる心配もないので、より自由に腕を動かすことができる。
【００７８】
入浴が終われば、被着者Ｐは、ハトメ１３を突起３７から外し、浴槽内で腰を上げれば係止部１０も自ずと浴槽から外れ、立ち上がることができ、最後に上部切除部３の面ファスナー１１の接合を解除すればケープ１Ａを脱ぐことができる。
【００７９】
図１１は、本実施形態に係るケープの変形例を示すものである。本変形例のケープ１Ｂは、図に示すように、胸部の表側（体に接しない側）にポケット４０を有する点で第２の実施形態におけるものと基本的に相違し、他の構成は第２の実施形態と実質的に同じであり、同じ符号を付して説明を省略する。
【００８０】
ポケット４０は、ケープ本体の布部材２と同じ材料からなるポケット本体４１と、このポケット本体４１の内容物の脱落を防止するためのポケット蓋４２と、両者を接合させる面ファスナー４３とから構成される。ポケット本体４１及びポケット蓋４２の輪郭は、布部材２との縫合や端部の補強のためにヘム８で縁取られている。
【００８１】
被着者Ｐは、このポケット４０に、アロマテラピーのためのハーブやエッセンシャルオイルを染ませた布等を入れて、このケープ１Ｂを被着して入浴する。そうすると、ハーブやエッセンシャルオイルが浴槽３０内に充満する蒸気の熱で加熱され、香り成分をより多く放出するので、被着者Ｐはこの香りをより有効に吸入することができる。これにより、被着者Ｐは、入浴による効果に加え、香りによるリラクゼーションやリフレッシュなどの効用も楽しめるという効果が得られる。
【００８２】
この場合、ポケット蓋４０を設けない構成としてもよい。また、布部材２をケープ全面またはポケット部のみ湿気を通す材質にすることにより、熱だけではなく、蒸気にて加熱された香り成分をより効率的に吸引できるようにすることもできる。
【００８３】
最後に、本実施形態の他の変形例について説明する。まず、被着者Ｐが腕を浴槽３０内から外部へ出すための、側面切除部４の形状であるが、図４に示したように、本実施形態では緩やかなカーブを描いて、抉られたような形に形成されていた。しかし、上記の目的達成のためには、形状はこれに限らず、例えば、三角形状や半円形の切除部を設けたものであってもよい。
【００８４】
ケープ１Ａの足元の引っ掛け方法は、本実施形態においては、突起３７を背側風呂蓋５１ａの分割部５４ａの裏面に設け、この分割部５４ａを折り曲げて突起３７を上向きにし、これにケープ１Ａのハトメ１３を挿通させるものであった。しかし、引っ掛け方法はこれに限らず、突起部３７に適切な抜け落ち防止策が講じられれば、分割部５４ａを折り返すことなく、突起部３７が下向きのままでハトメ１３を挿通させることも可能である。
【００８５】
逆に、図１２に示すように、背側風呂蓋５１ａに凹部５８を設け、ケープ１Ａ側にこの凹部に挿入係止される取付片５９を設けるものであってもよい。
【００８６】
また、突起３７は必ずしも背側風呂蓋５１ａに固定されたものである必要はなく、例えば使用時にのみ吸盤等により任意の位置に取り付けられる構造のものであってもよい。さらに、ケープと風呂蓋の両方に面ファスナーを設けて、これらを接合させるものでもよい。
【００８７】
同様に、本実施形態では、背側の係止方法は、重りの役割を果たすプレート９を用いているが、浴槽の背側リム面上、及び上部係止部１０の両方に面ファスナーを取り付け、これらを接合させるものでもよい。さらに、面ファスナーに代えて、マグネットを採用するようにしてもよい。
【００８８】
また、ケープが垂れ下がり、身体に貼り付くことを防止することは、本発明の目的の一つであるが、この目的をより確実に達成するために、例えば、寸法の異なる２枚の布部材の両端を縫い合わせることにより、立体的な形状を形成することも可能である。或いは、ケープの長さ方向に平行又は略平行に、タコ糸のようなある程度の剛性のある糸、又は形状記憶合金等を幾条か縫込み、ケープが垂れ下がらないように最初から反りを付けておくこともできる。
【００８９】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。例えば、本実施形態は、浴槽での使用を例にとって説明したが、本発明はこれ以外の場合にも使用可能である。
【００９０】
【発明の効果】
以上述べたように、本発明に係るケープによれば、浴槽内を効率良く高温多湿状態に保つという第１の効果が得られる。
【００９１】
また本発明は、第１の効果に加え、身体に貼り付き、入浴者に不快感を与えないという効果が得られる。
【００９２】
さらに本発明は、第２の効果に加え、入浴者が自由に手を使える効果がある。
【図面の簡単な説明】
【図１】本発明に係るケープの第１の実施形態の概要を示す平面図。
【図２】図１に示されたケープのＡ−Ａ断面図。
【図３】第１の実施形態に係るケープの使用状態を説明する図。
【図４】本発明に係るケープの第２の実施形態の概要を示す平面図。
【図５】図４に示されたケープのＢ−Ｂ断面図。
【図６】図４に示されたケープのＣ−Ｃ断面図。
【図７】本発明の第２の実施形態で用いられる浴槽及び風呂蓋の長手方向の縦断面図。
【図８】本発明の第２の実施形態で用いられる浴槽及び風呂蓋の長手方向の平面図。
【図９】第２の実施形態に係るケープの使用状態を説明する平面図。
【図１０】第２の実施形態に係るケープの使用状態を説明する長さ方向の縦断面図。
【図１１】第２の実施形態に係るケープの変形例の概要を示す平面図。
【図１２】ケープの足元側係止方法の変形例を示す図。
【符号の説明】
１，１Ａ  ケープ
２  布部材
２ａ  下端
３  上部切除部
４  側面切除部
５  襟部
６  紐
７  取出口
８  ヘム
９  プレート
９ａ  リム側
９ｂ  肩側
１０  係止部
１１  面ファスナー
１１ａ  フック状面ファスナー
１１ｂ  ループ状面ファスナー
１２  ポケット
１３  ハトメ
１３ａ  小孔
１３ｂ  ハトメ材
１４  引っ掛け部
２０，３０  浴槽
２０ａ  背側側面
２１，５１  風呂蓋
３１  開口部
３２  蒸気発生装置
３２ａ  吐出口
３３  リム面
３４  膨出部
３５  段落ち部
３６  ヘッドレスト
３７  突起
４０  ポケット
４１  ポケット本体
４２  ポケット蓋
４３  面ファスナー
５１ａ  背側風呂蓋
５１ｂ  足元側風呂蓋
５２  湾曲部
５３  手掛け部
５４ａ，５４ｂ，５４ｃ，５４ｄ  分割部
５５ａ，５５ｂ，５５ｃ  軟質部材
５６  切欠部
５７  凹部
５８  取付片
Ｐ  被着者
【図１】
2005046205.tif 000003
【図２】
2005046205.tif 000004
【図３】
2005046205.tif 000005
【図４】
2005046205.tif 000006
【図５】
2005046205.tif 000007
【図６】
2005046205.tif 000008
【図７】
2005046205.tif 000009
【図８】
2005046205.tif 000010
【図９】
2005046205.tif 000011
【図１０】
2005046205.tif 000012
【図１１】
2005046205.tif 000013
【図１２】
2005046205.tif 000014